(57)【特許請求の範囲】
【請求項１】
撮像系を内蔵した本体部とこの本体部に設けられた接触子とを有し、接触子を観察対象物に接触させることで観察対象物による支持を受けた状態で撮像を行なうことを可能とした拡大観察用の撮像具であって、
接触子は、本体部に対し摺動可能とされ、且つ弾性体を介して本体部に支持されることにより、本体部に対し弾性的に進退動可能とされており、
前記本体部は、細長い筒状のケーシングを備えており、
前記弾性体は、前記ケーシングのほぼ全長に対応する長さとされている、
撮像具。
【請求項２】
撮像系を内蔵した本体部とこの本体部に設けられた接触子とを有し、接触子を観察対象物に接触させることで観察対象物による支持を受けた状態で撮像を行なうことを可能とした拡大観察用の撮像具であって、
接触子は、本体部に対し摺動可能とされ、且つ弾性体を介して本体部に支持されることにより、本体部に対し弾性的に進退動可能とされており、
前記弾性体は、そのばね力が本体部の全重量とほぼ同じ程度かそれより若干大きくなるようにされている、
撮像具。
【発明の詳細な説明】
【０００１】
【産業上の利用分野】
本発明は、ビデオシステムを利用して拡大観察を行なうのに用いる撮像具に関する。
【０００２】
【従来の技術】
ビデオシステムを利用した拡大観察装置としては、例えば特開平４−１０７４１０号や特開平４−１０７４１１号に開示されるものが知られている。これらの拡大観察装置は、撮像具で捉えた対象物の像をモニターに表示して拡大観察を行なうようになっている。そして撮像具がその本体部の先端に、接触子としても機能する集光ガイドを備えており、この集光ガイドの先端部を観察対象物に接触させることで観察対象物による支持を受けた状態で撮像を行なうことができる。つまり集光ガイドの先端が観察対象部位に接触した状態で本体部の撮像系のピントが合う状態となっており、集光ガイドの先端を観察対象部位に接触させるだけで、ピント合わせの操作をおこなわずとも鮮明な像での撮像を行なえる。このように観察対象物への接触による支持を受けて撮像することは、撮像具をスタンドなどに固定する必要がなく、したがって観察対象物をそのままの状態にして、高倍率での拡大観察を安定的に行なえるという優れた利点を与える。
【０００３】
このため上記のような拡大観察装置は多種多様な分野で広く用いられている。例えばＩＣなどの電子部品をプリント基板にはんだ付けした回路ユニット製品の検査や品質管理などのためにはんだ付け部分を拡大して観察する、という用途もその一つである。ただこのような用途の場合には、上記のような接触式の利点を十分に活かせない場合がある。すなわちプリント基板には種々の電子部品が所狭しと取り付けられており、そのために周囲の電子部品に邪魔されて観察対象部位であるはんだ付け部分に接触子を接触させることができない場合がある。この結果、その都度ピント合わせを行なう必要があり、このことが迅速に検査などを進める上で障害となる。
【０００４】
【発明が解決しようとする課題】
本発明は上記のような事情を背景になされたものであり、接触式の撮像具について、観察対象物における観察対象部位の周囲に障害物があって接触子を観察対象部位に直接に接触させることができないような場合でも、接触式の利点を有効に活かすことができるようにすること目的としている。
【０００５】
【課題を解決するための手段】
上記のような目的のために本発明では、撮像系を内蔵した本体部とこの本体部に設けられた接触子とを有し、接触子を観察対象物に接触させることで観察対象物による支持を受けた状態で撮像を行なうことを可能とした拡大観察用の撮像具について、前記接触子を本体部に対し弾性的に進退動可能としている。
【０００６】
この撮像具は、接触子を観察対象物に接触させた状態で本体部を押し、また押す力を緩めると接触子が本体部に対して進退動し、これに伴って接触子の本体部からの突出状態が変化し、これによりピント調整を行なえる。したがって観察対象物における観察対象部位の周囲に障害物があり、これに妨害されて接触子を直接に観察対象部位に接触させることができない場合には、これら周囲の障害物に接触子を接触させた状態で、上記のようなピント調整を行なうことにより観察対象部位へのピント合わせをなすようにして用いることができる。つまり周囲の障害物に接触子を接触させた状態で本体部を押すだけの操作によりピント調整を行なうことができ、したがって接触式の利点を実質的に損なうことがない。
【０００７】
このようなピント調整は、そのための本体部を押す力を小さなもので済ませることができれば、それだけピント合わせ状態の維持に必要な力が小さくて済む。つまりピント合わせ状態の安定性を高めることができる。本体部を押す力を小さなものとするには、接触子に対する弾性力を接触子にかかる重量負荷とほぼ同じか若干大きい程度にするのが好ましい。
【０００８】
上記のような撮像具における接触子に弾性的な進退動を行なわせるには種々の構造が可能であるが、好ましい構造の一つは、例えば圧縮コイルばねのような弾性体を介して接触子を本体部に支持させるとともに、接触子を本体部に対し摺動可能とする構造である。この構造によると、本体部が接触子を摺動可能に支持しているので、接触子を観察対象物に接触させた状態における安定性、特に横振れに対する安定性を高めることができる。また接触子の弾性的な進退動もより安定した状態で行なわせることができる。
【０００９】
【実施の形態】
以下、本発明の実施形態を説明する。本発明の一実施形態による撮像具は、図１に示すように、全体として細長い筒状の本体部１とその先端に組み付けたドームタイプの接触子２とからなる。
【００１０】
本体部１は、細長い筒状のケーシング３の内部に撮像ユニット４を内蔵する。撮像ユニット４は、外乱光を防ぐための内部ケーシング５に結像レンズ６などを含む光学系と例えばＣＣＤタイプのカメラユニット７とを内蔵している。また本体部１は、撮像ユニット４の外周に沿うようにして圧縮コイルばね８を内蔵している。この圧縮コイルばね８は、後述のようにして接触子２を進退動させることによる圧縮変形の際の力が圧縮変形量との関係で変化する程度を小さくする、つまりほぼ同じ力で接触子２を進退動させることができるようにするために、できるだけ長くするのが好ましい。そのために本実施形態では、圧縮コイルばね８の長さをケーシング３のほぼ全長に対応する長さとしている。また接触子２の進退動に必要な力を小さくするために、圧縮コイルばね８のばね力を本体部１の全重量とほぼ同じ程度としている。
【００１１】
接触子２は、先端部をドーム状にしてその先端に撮像開口９を形成した筒状の構造を持ち、その基端部には支持受け部１１を有する。また接触子２は、撮像開口９に向けて照明光を照射できるようにした照明用のランプ１０を有する。この接触子２は、その後端部に形成してある支持受け部１１を介して本体部１のケーシング３に摺動的に支持させ、また支持受け部１１の端面に圧縮コイルばね８を押接させる。したがって接触子２は、本体部１に押す力を加えない通常の状態では最大に突出した状態となる。そして一般的にはこの状態での使用が基準となる。そのため撮像ユニット４における結像レンズ６の焦点は、この状態における接触子２の先端に合うように設定する。
【００１２】
このような接触子２は、金属材やプラスチック材を用いて作ることができる。プラスチック材を用いる場合には、接触子を透明に形成し、上記特開平４−１０７４１０号や特開平４−１０７４１１号に開示されるのと同様に、接触子を集光ガイドとしても機能させるようにすることも可能である。このような場合には当然に照明用のランプなどは本体部側に設けることになる。
【００１３】
このような撮像具を用いて観察対象物を撮像するには、接触子２の先端、特にその撮像開口９の部分を観察対象物Ｍに軽く接触させて用いる。図１のように、接触子２を観察対象物Ｍの観察対象部位に直接接触させることのできる場合には、接触子２を最大に突出した状態で用いる。上記のように、この状態で撮像ユニット４のピントが接触子２の先端に合っており、したがってこの場合にはピント調整を行なう必要がない。
【００１４】
一方図２のように、観察対象物が例えば回路ユニットＵであり、その半導体部品Ｐのはんだ付け部Ｈの状態を観察する場合で、はんだ付け部Ｈの周囲に半導体部品Ｐがあるためにはんだ付け部Ｈに接触子２を直接接触させることができない場合には、半導体部品Ｐに接触子２を接触させて用いる。この場合には、接触子２が最大に突出した状態であると、撮像ユニット４のピントがはんだ付け部Ｈと合わなくなる。そこで、本体部１を軽く押して接触子２を進退動させることではんだ付け部Ｈに対するピント調整を行なう。
【００１５】
以上の実施形態は好ましい一つの形態であり、この他にも種々の好ましい形態が可能である。例えば上記の実施形態では接触子を本体部の長さ方向と同一の方向としていたが、この他に本体部の長さ方向に対し、斜めにあるいは直交するような交差する向きで設ける形態も可能である。また接触子は、その先端部をドーム状にする以外の各種の形態が可能である。
【００１６】
【発明の効果】
以上説明してきた如く、本発明によると、観察対象物における観察対象部位の周囲に障害物があって接触子を観察対象部位に直接に接触させることができないような場合でも、接触式の利点を有効に活かすことができ、例えば拡大観察による回路ユニット製品の検査や品質管理の効率化などに寄与できる。
【図面の簡単な説明】
【図１】本発明の一実施形態による撮像具の簡略化した断面図。
【図２】図１の撮像具を回路ユニットの検査に用いる状態の説明図。
【符号の説明】
１  本体部
２  接触子
４  撮像ユニット（撮像系）
８  圧縮コイルばね（弾性体）
【図１】
0003803450.tif 000002
【図２】
0003803450.tif 000003